(57)【要約】【課題】高精細な画像を表示することができる両面表示装置を提供することを目的とする。【解決手段】両面表示装置は、画像が表示される表面１０及び表面１０とは反対の裏面１２を有する有機エレクトロルミネッセンス表示パネル１４と、有機エレクトロルミネッセンス表示パネル１４の裏面１２に重ねられる液晶表示パネル３２と、を有する。有機エレクトロルミネッセンス表示パネル１４は、表面１０に光を発して画像を表示するためのトップエミッション型の第１発光領域１６と、第１発光領域１６の周囲に位置して裏面１２に光を発するボトムエミッション型の第２発光領域１８と、を有する。第２発光領域１８は、液晶表示パネル３２のバックライト３４の光源である。【選択図】図２
2014191329.tif 000002
【特許請求の範囲】
【請求項１】
画像が表示される表面及び前記表面とは反対の裏面を有する有機エレクトロルミネッセンス表示パネルと、
前記有機エレクトロルミネッセンス表示パネルの前記裏面に重ねられる液晶表示パネルと、
を有し、
前記有機エレクトロルミネッセンス表示パネルは、前記表面に光を発して前記画像を表示するためのトップエミッション型の第１発光領域と、前記第１発光領域の周囲に位置して前記裏面に光を発するボトムエミッション型の第２発光領域と、を有し、
前記第２発光領域は、前記液晶表示パネルのバックライトの光源であることを特徴とする両面表示装置。
【請求項２】
請求項１に記載された両面表示装置において、
前記バックライトは、前記有機エレクトロルミネッセンス表示パネルと前記液晶表示パネルの間に配置された導光板を含み、
前記第２発光領域からの光は、前記導光板の一方の面の端部から入射し、入射領域よりも出射領域が大きくなって、前記液晶表示パネルに向けて出射することを特徴とする両面表示装置。
【発明の詳細な説明】
【技術分野】
【０００１】
本発明は、両面表示装置に関する。
【背景技術】
【０００２】
特許文献１には、基板の画素に前面発光領域及び背面発光領域が形成された両面発光型有機発光表示装置が開示されている。これによれば、前面発光型基板及び背面発光型基板をそれぞれ完全体として全て形成することなく、いずれか一つの基板の一つの画素に前面発光領域及び背面発光領域を形成することによって、単純な製造工程により薄型の両面発光型有機発光表示装置を製造することができる。
【先行技術文献】
【特許文献】
【０００３】
【特許文献１】特開２０１２−９４４８９号公報
【発明の概要】
【発明が解決しようとする課題】
【０００４】
上記構造では、前面発光領域及び背面発光領域が混在するため、高精細な画像を表示することができないという問題があった。
【０００５】
本発明は、高精細な画像を表示することができる両面表示装置を提供することを目的とする。
【課題を解決するための手段】
【０００６】
（１）本発明に係る両面表示装置は、画像が表示される表面及び前記表面とは反対の裏面を有する有機エレクトロルミネッセンス表示パネルと、前記有機エレクトロルミネッセンス表示パネルの前記裏面に重ねられる液晶表示パネルと、を有し、前記有機エレクトロルミネッセンス表示パネルは、前記表面に光を発して前記画像を表示するためのトップエミッション型の第１発光領域と、前記第１発光領域の周囲に位置して前記裏面に光を発するボトムエミッション型の第２発光領域と、を有し、前記第２発光領域は、前記液晶表示パネルのバックライトの光源であることを特徴とする。本発明によれば、第２発光領域が第１発光領域の周囲に位置するので、前面発光領域と背面発光領域が混在せず、高精細な画像を表示することができる。
【０００７】
（２）（１）に記載された両面表示装置において、前記バックライトは、前記有機エレクトロルミネッセンス表示パネルと前記液晶表示パネルの間に配置された導光板を含み、前記第２発光領域からの光は、前記導光板の一方の面の端部から入射し、入射領域よりも出射領域が大きくなって、前記液晶表示パネルに向けて出射することを特徴としてもよい。
【図面の簡単な説明】
【０００８】
【図１】本発明の実施形態に係る両面表示装置の平面図である。
【図２】図１に示す両面表示装置の分解側面図である。
【図３】有機エレクトロルミネッセンス表示パネルの断面図である。
【発明を実施するための形態】
【０００９】
以下、本発明の実施形態について、図面を参照して説明する。
【００１０】
図１は、本発明の実施形態に係る両面表示装置の平面図である。図２は、図１に示す両面表示装置の分解側面図である。
【００１１】
両面表示装置は、画像が表示される表面１０及び表面１０とは反対の裏面１２を有する有機エレクトロルミネッセンス表示パネル１４を有する。有機エレクトロルミネッセンス表示パネル１４は、表面１０に光を発して画像を表示するためのトップエミッション型の第１発光領域１６を有する。有機エレクトロルミネッセンス表示パネル１４は、第１発光領域１６の周囲に位置して裏面１２に光を発するボトムエミッション型の第２発光領域１８を有する。図１には、有機エレクトロルミネッセンス表示パネル１４の矩形の外形の辺に沿って配置された複数の第２発光領域１８が示されている。
【００１２】
図３は、有機エレクトロルミネッセンス表示パネル１４の断面図である。有機エレクトロルミネッセンス表示パネル１４は、ガラスなどからなる光透過性の基板２０を有する。第１発光領域１６では、基板２０に第１画素電極２２（例えば陽極）が設けられている。第１画素電極２２は、光を反射するように構成されている。例えば、第１画素電極２２は、金属などの光反射材料からなる反射膜から、あるいはこれに酸化物半導体などからなる透明導電膜を積層して形成する。
【００１３】
第２発光領域１８では、基板２０に第２画素電極２４（例えば陽極）が設けられている。第２画素電極２４は、光を通すように構成されている。例えば、第２画素電極２４は、酸化物半導体などの透明導電膜から形成する。
【００１４】
第１画素電極２２及び第２画素電極２４のそれぞれの少なくとも一部を囲むように、樹脂などの絶縁体からバンク２６が設けられている。バンク２６に囲まれた第１画素電極２２及び第２画素電極２４上に有機エレクトロルミネッセンス層２８が形成されている。有機エレクトロルミネッセンス層２８の一部はバンク２６にも載るようになっている。
【００１５】
有機エレクトロルミネッセンス層２８は、少なくとも発光層を含み、さらに、電子輸送層、正孔輸送層、電子注入層及び正孔注入層のうち少なくとも一層を含む。有機エレクトロルミネッセンス層２８を構成する少なくとも一層は有機材料からなる。有機エレクトロルミネッセンス層２８は、蒸着又はスパッタリングによって形成する。
【００１６】
有機エレクトロルミネッセンス層２８上からバンク２６上に至るように光透過性の共通電極３０（例えば陰極）が形成されている。第１画素電極２２及び第２画素電極２４と共通電極３０との間に有機エレクトロルミネッセンス層２８が配置されている。第１画素電極２２及び第２画素電極２４と共通電極３０との間に電圧をかけることにより正孔と電子を有機エレクトロルミネッセンス層２８に注入する。注入された正孔と電子が発光層で結合して光を発する。
【００１７】
第１画素電極２２は光を反射するので、第１発光領域１６では、光は、第１画素電極２２とは反対方向（図３で上方向）に出射し、基板２０を通過しない。これに対して、第２画素電極２４は光を通すので、第２発光領域１８では、光は、第２画素電極２４を通って基板２０を通過する方向（図３で下方向）に進む。
【００１８】
図２に示すように、両面表示装置は、有機エレクトロルミネッセンス表示パネル１４の裏面１２に重ねられる液晶表示パネル３２を有する。有機エレクトロルミネッセンス表示パネル１４の第２発光領域１８は、液晶表示パネル３２のバックライト３４の光源である。バックライト３４は、有機エレクトロルミネッセンス表示パネル１４と液晶表示パネル３２の間に配置された導光板３６を含む。第２発光領域１８からの光は、導光板３６の一方の面の端部から入射し、入射領域よりも出射領域が大きくなって、液晶表示パネル３２に向けて出射する。
【００１９】
本実施形態によれば、第２発光領域１８が第１発光領域１６の周囲に位置するので、前面発光領域と背面発光領域が混在せず、高精細な画像を表示することができる。
【００２０】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２１】
１０  表面、１２  裏面、１４  有機エレクトロルミネッセンス表示パネル、１６  第１発光領域、１８  第２発光領域、２０  基板、２２  第１画素電極、２４  第２画素電極、２６  バンク、２８  有機エレクトロルミネッセンス層、３０  共通電極、３２  液晶表示パネル、３４  バックライト、３６  導光板。
【図１】
2014191329.tif 000003
【図２】
2014191329.tif 000004
【図３】
2014191329.tif 000005